(57)【要約】【課題】注目画素が静止画であるか動画であるかを適切に判断できるようにする。【解決手段】差分検出部１２０によって、入力された映像信号Ｓ１００と、映像信号Ｓ１００をフレーム単位で遅延させたフレーム遅延信号Ｓ１１０との差分信号であるフレーム差分信号Ｓ１２０を生成する。判定部１３０により、フレーム差分信号Ｓ１２０と所定の閾値とを比較し、比較結果を示す動き検出信号Ｓ１３０を出力する。さらに、領域内動画総数検出部１４０により、動き検出信号Ｓ１３０を累積した動画総数Ｓ１４０を求める。そして、比較部１３１によって、現在のフレームの処理に使用した閾値から、領域内動画総数検出部１４０がもとめた動画総数Ｓ１４０を減算して、次のフレームの処理に使用する閾値を求める。【選択図】図１
2008113330.tif 000002
【特許請求の範囲】
【請求項１】
入力された映像信号と前記映像信号をフレーム単位で遅延させたフレーム遅延信号との差分信号であるフレーム差分信号を生成する差分検出部と、
前記フレーム差分信号と所定の閾値とを比較し、比較結果を示す動き検出信号を出力する判定部と、
前記動き検出信号を累積して動画総数を求める領域内動画総数検出部と、
を備え、
前記判定部は、前記閾値、及び前記フレーム差分信号のうちの何れかを、前記動画総数に応じて調整するように構成されていることを特徴とする動き検出装置。
【請求項２】
請求項１の動き検出装置であって、
前記判定部は、前記動画総数に応じ、前記閾値を調整するように構成されていることを特徴とする動き検出装置。
【請求項３】
請求項１の動き検出装置であって、
前記判定部は、前記フレーム差分信号のゲインを前記動画総数に応じて調整するゲイン調整部を有しており、ゲイン調整後のフレーム差分信号と前記閾値とを比較するように構成されていることを特徴とする動き検出装置。
【請求項４】
請求項１の動き検出装置であって、
前記判定部は、所定のコアリングレベルよりも小さな信号を前記フレーム差分信号から取り除くコアリング処理を行なうコアリング部と、コアリング処理後のフレーム差分信号と前記閾値とを比較する比較部とを有しており、前記動画総数に応じて前記コアリングレベルを調整するように構成されていることを特徴とする動き検出装置。
【請求項５】
請求項１の動き検出装置であって、
前記領域内動画総数検出部は、与えられた信号から所定レベルよりも小さな信号を取り除くコアリング部、与えられた信号のゲインを調整するゲイン調整部、与えられた信号の上限を設定するリミッタ部、及び与えられた信号にオフセットを付加するオフセット調整部のうちの少なくとも何れか１つによって、前記動画総数を補正して出力するように構成されていることを特徴とする動き検出装置。
【発明の詳細な説明】
【技術分野】
【０００１】
本発明は、テレビジョン等において、ＹＣ分離やノイズリダクション等の映像信号処理装置に用いられ、入力された映像信号から動きを検出する動き検出装置に関するものである。
【背景技術】
【０００２】
近年、液晶やプラズマ表示デバイスを用いたテレビジョン受像機において、大画面化、高精細化に伴い、より高画質な映像を表示することが重要視されてきている。そのため、ＹＣ分離性能やノイズリダクション性能を改善するに当たり、動き検出装置の動き判定処理が重要視されてきている。
【０００３】
従来の動き検出装置の一例としては、フレーム差分信号によって入力された映像信号の動き情報を抽出し、動き情報と所定の値を比較し、その比較結果に、注目画素からの距離に応じた重み付けをすることによって、動き検出の精度の向上を図ったものがある（例えば、特許文献１を参照）。
【特許文献１】特開２００２−３１４８４２号公報
【発明の開示】
【発明が解決しようとする課題】
【０００４】
しかしながら、上記の動き検出装置では、注目画素を囲む隣接する画素の重み付けにより動きを判定しているため、例えば、画面全体に占める静止画数が多く、注目画素周辺だけが動画であった場合には、注目画素は動画と判定されてしまう可能性があり、このように判定された場合には、ノイズ除去効果やＹＣ分離で発生するクロスカラー除去効果を十分に発揮させることができなかった。
【０００５】
また、画面全体に占める動画数が多く、注目画素の周辺だけが静止画であった場合には、注目画素は静止画と判定されてしまう可能性があり、このように判定された場合には、ノイズリダクションにおいて残像が残ってしまい、ノイズ除去効果を十分に上げることができなかった。
【０００６】
本発明は、上記の問題に着目してなされたものであり、注目画素が静止画であるか動画であるかを適切に判断できるようにすることを目的としている。
【課題を解決するための手段】
【０００７】
前記の課題を解決するため、本発明の一態様は、
入力された映像信号と前記映像信号をフレーム単位で遅延させたフレーム遅延信号との差分信号であるフレーム差分信号を生成する差分検出部と、
前記フレーム差分信号と所定の閾値とを比較し、比較結果を示す動き検出信号を出力する判定部と、
前記動き検出信号を累積して動画総数を求める領域内動画総数検出部と、
を備え、
前記判定部は、前記閾値、及び前記フレーム差分信号のうちの何れかを、前記動画総数に応じて調整するように構成されていることを特徴とする。
【０００８】
また、本発明の一態様は、
上記の動き検出装置であって、
前記判定部は、前記動画総数に応じ、前記閾値を調整するように構成されていることを特徴とする。
【０００９】
また、本発明の一態様は、
上記の動き検出装置であって、
前記判定部は、前記フレーム差分信号のゲインを前記動画総数に応じて調整するゲイン調整部を有しており、ゲイン調整後のフレーム差分信号と前記閾値とを比較するように構成されていることを特徴とする。
【００１０】
また、本発明の一態様は、
上記の動き検出装置であって、
前記判定部は、所定のコアリングレベルよりも小さな信号を前記フレーム差分信号から取り除くコアリング処理を行なうコアリング部と、コアリング処理後のフレーム差分信号と前記閾値とを比較する比較部とを有しており、前記動画総数に応じて前記コアリングレベルを調整するように構成されていることを特徴とする。
【００１１】
また、本発明の一態様は、
上記の動き検出装置であって、
前記領域内動画総数検出部は、与えられた信号から所定レベルよりも小さな信号を取り除くコアリング部、与えられた信号のゲインを調整するゲイン調整部、与えられた信号の上限を設定するリミッタ部、及び与えられた信号にオフセットを付加するオフセット調整部のうちの少なくとも何れか１つによって、前記動画総数を補正して出力するように構成されていることを特徴とする。
【発明の効果】
【００１２】
本発明によれば、注目画素が静止画であるか動画であるかを適切に判断できる。
【発明を実施するための最良の形態】
【００１３】
以下、本発明の実施形態について図面を参照しながら説明する。なお、以下の各実施形態の説明において、一度説明した構成要素と同様の機能を有する構成要素については、同一の符号を付して説明を省略する。
【００１４】
《発明の実施形態１》
図１は、本発明の実施形態１に係る動き検出装置１００の構成を示すブロック図である。動き検出装置１００は、テレビジョン等において、ＹＣ分離やノイズリダクション等の映像信号処理装置に用いられ、入力された映像信号から動きを検出する。
【００１５】
動き検出装置１００は、図１に示すように、フレーム遅延部１１０、差分検出部１２０、判定部１３０、及び領域内動画総数検出部１４０を備えている。
【００１６】
フレーム遅延部１１０は、入力された映像信号Ｓ１００をフレーム遅延（フレーム単位で遅延）させた信号（フレーム遅延信号Ｓ１１０）を出力するようになっている。遅延量は、１フレーム、２フレーム、もしくはそれ以上のフレーム数の遅延でもよい。
【００１７】
差分検出部１２０は、映像信号Ｓ１００とフレーム遅延信号Ｓ１１０との差分値（フレーム差分信号Ｓ１２０）を出力するようになっている。
【００１８】
判定部１３０は、フレーム差分信号Ｓ１２０と所定の閾値（後述）との比較結果に基づいて、注目する画素が、動きがある動画であるか、静止している静止画であるかを判定するようになっている。
【００１９】
具体的には、判定部１３０は、比較部１３１を備えている。比較部１３１は、所定の閾値と、フレーム差分信号Ｓ１２０とを比較し、フレーム差分信号Ｓ１２０が閾値よりも大きい場合は、動きがある動画と判定し、閾値よりも小さい場合は、静止している静止画と判定し、判定結果を示す動き検出信号Ｓ１３０を出力するようになっている。また、比較部１３１には、閾値として、動作開始時には所定の初期値が与えられており、動作開始後は、比較部１３１が、現在のフレームの処理に使用した閾値から、領域内動画総数検出部１４０が出力した動画総数Ｓ１４０（後述）を減算することによって、次のフレームの処理に使用する閾値を調整する。
【００２０】
領域内動画総数検出部１４０は、画面（フレーム）内の所定範囲における動画総数（動画総数Ｓ１４０）を検出して、比較部１３１に出力するようになっている。
【００２１】
図２は、領域内動画総数検出部１４０の構成例を示すブロック図である。領域内動画総数検出部１４０は、図２に示すように、領域制御部２０１、動き検出信号取り込み部２０２、累積部２０３、コアリング部２０４、ゲイン調整部２０５、リミッタ部２０６、オフセット調整部２０７、及び選択部２０８を備えている。
【００２２】
これらの構成要素のうち、動き検出信号取り込み部２０２、累積部２０３、コアリング部２０４、ゲイン調整部２０５、リミッタ部２０６、及びオフセット調整部２０７は、それぞれ複数（この例ではそれぞれ４つ）が設けられている。以下の説明では、これらは、例えば、動き検出信号取り込み部２０２Ａ、動き検出信号取り込み部２０２Ｂ・・・のように、符号の末尾にアルファベット（Ａ〜Ｄ）を付けて識別する。なお、これらの各要素が出力する信号についても、同様に信号名の末尾にアルファベット（Ａ〜Ｄ）を付けて識別する。
【００２３】
領域制御部２０１は、垂直同期信号Ｖから、画面上部が有効であることを示す信号である垂直有効ラインＳ２０１Ｖ１と、画面下部が有効であることを示す信号である垂直有効ラインＳ２０１Ｖ２を生成し、水平同期信号Ｈから、画面左部が有効であることを示す信号である水平有効範囲Ｓ２０１Ｈ１と、画面右部が有効であることを示す信号である水平有効範囲Ｓ２０１Ｈ２を生成するようになっている。これらの信号の組み合わせにより画面上の所定の範囲を指定することができる。図３は、画面を４分割した場合における、水平方向及び垂直方向の有効範囲と、その場合の制御信号の例を示す図である。
【００２４】
動き検出信号取り込み部２０２（Ａ〜Ｄ）は、領域制御部２０１が出力した信号（Ｓ２０１Ｖ１〜２、Ｓ２０１Ｈ１〜２）によって指定された領域（有効領域）内の動き検出信号Ｓ１３０のみを取り込んで出力するようになっている。
【００２５】
具体的には、動き検出信号取り込み部２０２Ａは、垂直有効ラインＳ２０１Ｖ１と、水平有効範囲Ｓ２０１Ｈ１とによって指定された有効領域内の動き検出信号Ｓ１３０のみを取り込んで動き検出信号Ｓ２０２Ａとして出力する。同様に、動き検出信号取り込み部２０２Ｂは、垂直有効ラインＳ２０１Ｖ１と水平有効範囲Ｓ２０１Ｈ２とによって指定された有効領域内の動き検出信号Ｓ１３０のみを取り込んで動き検出信号Ｓ２０２Ｂとして出力し、動き検出信号取り込み部２０２Ｃは、垂直有効ラインＳ２０１Ｖ２と水平有効範囲Ｓ２０１Ｈ１とによって指定された有効領域内の動き検出信号Ｓ１３０のみを取り込んで動き検出信号Ｓ２０２Ｃとして出力し、動き検出信号取り込み部２０２Ｄは、垂直有効ラインＳ２０１Ｖ２と水平有効範囲Ｓ２０１Ｈ２とによって指定された有効領域内の動き検出信号Ｓ１３０のみを取り込んで動き検出信号Ｓ２０２Ｄとして出力する。
【００２６】
累積部２０３（Ａ〜Ｄ）は、動き検出信号取り込み部２０２（Ａ〜Ｄ）が出力した動き検出信号Ｓ２０２（Ａ〜Ｄ）から、動きのある画素をフィールド毎に累積して出力するようになっている。例えば、累積部２０３Ａは、動き検出信号Ｓ２０２Ａの、動きのある画素をフィールド毎に累積し、その結果である累積値Ｓ２０３Ａを出力する。
【００２７】
図４の（ａ）は、動画数と累積値Ｓ２０３との関係を示している。（ａ）では、横軸が領域内に占める動画数であり、縦軸が累積値Ｓ２０３であり、領域内の動画数が多ければ累積値が多くなることを示している。
【００２８】
コアリング部２０４（Ａ〜Ｄ）は、累積部２０３（Ａ〜Ｄ）が出力した累積値Ｓ２０３（Ａ〜Ｄ）から、微小な値（所定レベルよりも小さな値）を取り除くコアリング処理を行い、コアリング処理後の値（累積値Ｓ２０４）を出力するようになっている。例えば、コアリング部２０４Ａは、累積部２０３Ａが出力した累積値Ｓ２０３Ａから微小な値を取り除いた値（累積値Ｓ２０４Ａ）を出力する。
【００２９】
図４の（ｂ）は、動画数と累積値Ｓ２０４との関係を示している。（ｂ）では、横軸が領域内に占める動画数であり、縦軸が累積値Ｓ２０４であり、領域内の動画数が少ない場合は、出力がないことを示している。すなわち、累積値Ｓ２０３は、コアリング部２０４により少数の動きに対して出力されない。
【００３０】
ゲイン調整部２０５（Ａ〜Ｄ）は、累積値Ｓ２０４（Ａ〜Ｄ）のゲインを調整した信号（累積値Ｓ２０５Ａ〜Ｄ）を出力するようになっている。
【００３１】
図４の（ｃ）は、動画数と累積値Ｓ２０５との関係を示している。（ｃ）では、横軸が領域内に占める動画数であり、縦軸が累積値Ｓ２０５である。この図は、ゲイン調整部２０５が、領域内の動画数入力に対して出力の傾きを調整することを示している。すなわち、コアリング処理後の累積値Ｓ２０４は、ゲイン調整部２０５により、動画数に対する累積値の傾きが調整される。
【００３２】
リミッタ部２０６（Ａ〜Ｄ）は、ゲイン調整部２０５が出力した信号に対して上限を設定するリミッタ処理を行い、リミッタ処理後の信号（累積値Ｓ２０６）を出力するようになっている。
【００３３】
図４の（ｄ）は、動画数と累積値Ｓ２０６との関係を示している。（ｄ）では、横軸が領域内に占める動画数であり、縦軸に累積値Ｓ２０６であり、リミッタ部２０６によって、領域内の動画数の上限を設定できることを示している。すなわち、ゲイン調整後の累積値Ｓ２０５は、リミッタ部２０６により、累積値の上限が設定される。
【００３４】
オフセット調整部２０７（Ａ〜Ｄ）は、リミッタ部２０６（Ａ〜Ｄ）の出力（累積値Ｓ２０６）に対して、オフセットを付加した信号（累積値Ｓ２０７Ａ〜Ｄ）を出力するようになっている。
【００３５】
図４の（ｅ）は、動画数と累積値Ｓ２０７との関係を示している。（ｅ）では、横軸が領域内に占める動画数であり、縦軸が累積値Ｓ２０７であり、オフセット調整部２０７によって、領域内の動画数にオフセットが設定できることを示している。すなわち、リミッタ処理後の累積値Ｓ２０６は、オフセット調整部２０７により、閾値の基準となる値が付加され、補正された累積値Ｓ２０７を出力する。
【００３６】
選択部２０８は、領域制御部２０１の出力と、水平有効範囲Ｓ２０１Ｈ１〜２、垂直有効ラインＳ２０１Ｖ１〜２、及び累積値Ｓ２０７Ａ〜Ｄが入力されており、領域制御部２０１Ｈ１〜２、及び領域制御部２０１Ｖ１〜２に同期して、有効領域毎に累積値Ｓ２０７（Ａ〜Ｄ）を出力するようになっている。
【００３７】
（動き検出装置１００の動作）
動き検出装置１００では映像信号Ｓ１００がフレーム遅延部１１０に入力されると、フレーム遅延部１１０は、映像信号Ｓ１００をフレーム単位で遅延したフレーム遅延信号Ｓ１１０を出力する。これにより差分検出部１２０は、映像信号Ｓ１００とフレーム遅延信号Ｓ１１０との差分値（フレーム差分信号Ｓ１２０）を出力する。
【００３８】
比較部１３１は、フレーム差分信号Ｓ１２０と閾値とを比較し、フレーム差分信号Ｓ１２０が閾値よりも大きい場合には動きがある動画と判定し、フレーム差分信号Ｓ１２０が閾値よりも小さい場合には静止している静止画と判定し、判定結果を示す動き検出信号Ｓ１３０を出力する。
【００３９】
領域内動画総数検出部１４０は、動き検出信号Ｓ１３０から、所定の画面領域内における動画総数Ｓ１４０を検出し、検出した動画総数Ｓ１４０を比較部１３１に出力する。
【００４０】
詳しくは、動き検出信号取り込み部２０２Ａは、フレームの左上の領域の動き検出信号Ｓ１３０を取り込んで、その信号（動き検出信号Ｓ２０２Ａ）を出力する。これにより、動き検出信号Ｓ２０２Ａは、累積部２０３Ａで累積された後、コアリング部２０４Ａによるコアリング処理、ゲイン調整部２０５Ａによるゲイン調整、リミッタ部２０６Ａによるリミッタ処理、及びオフセット調整部２０７Ａによるオフセット設定が行なわれ、補正された左上部領域内の累積値Ｓ２０７Ａとして選択部２０８へ出力される。そして、選択部２０８は、累積値Ｓ２０７Ａを、フレームの左上領域の動画総数Ｓ１４０として出力する。
【００４１】
同様に、動き検出信号取り込み部２０２Ｂは、フレームの右上の領域の動き検出信号Ｓ１３０を取り込んで、その信号（動き検出信号Ｓ２０２Ｂ）を出力する。これにより、動き検出信号Ｓ２０２Ｂは、累積部２０３Ｂで累積された後、コアリング部２０４Ｂ、ゲイン調整部２０５Ｂ、リミッタ部２０６Ｂ、及びオフセット調整部２０７Ｂによって処理され、補正された右上部領域内の累積値Ｓ２０７Ｂとして選択部２０８へ出力される。そして、選択部２０８は、累積値Ｓ２０７Ｂを、フレームの右上領域の動画総数Ｓ１４０として出力する。
【００４２】
また、動き検出信号取り込み部２０２Ｃは、フレームの左下の領域の動き検出信号Ｓ１３０を取り込んで、その信号（動き検出信号Ｓ２０２Ｃ）を出力する。これにより、動き検出信号Ｓ２０２Ｃは、累積部２０３Ｃで累積された後、コアリング部２０４Ｃ、ゲイン調整部２０５Ｃ、リミッタ部２０６Ｃ、及びオフセット調整部２０７Ｃによって処理され、補正された左下部領域内の累積値Ｓ２０７Ｃとして選択部２０８へ出力される。そして、選択部２０８は、累積値Ｓ２０７Ｃを、フレームの左下領域の動画総数Ｓ１４０として出力する。
【００４３】
また、動き検出信号取り込み部２０２Ｄは、フレームの右下の領域の動き検出信号Ｓ１３０を取り込んで、その信号（動き検出信号Ｓ２０２Ｄ）を出力する。これにより、動き検出信号Ｓ２０２Ｄは、累積部２０３Ｄで累積された後、コアリング部２０４Ｄ、ゲイン調整部２０５Ｄ、リミッタ部２０６Ｄ、及びオフセット調整部２０７Ｄによって処理され、補正された右下部領域内の累積値Ｓ２０７Ｄとして選択部２０８へ出力される。そして、選択部２０８は、累積値Ｓ２０７Ｄを、フレームの右下領域の動画総数Ｓ１４０として出力する。
【００４４】
上記のようにして、領域内動画総数検出部１４０は、フレームの左上、右上、及び左下の各領域に対応した動画総数Ｓ１４０を、比較部１３１に出力する。
【００４５】
領域内動画総数検出部１４０が動画総数Ｓ１４０を出力すると、比較部１３１は、現在のフレームの処理に使用した閾値から、領域内動画総数検出部１４０が出力した動画総数Ｓ１４０を減算して、次のフレームの処理に使用する新たな閾値を求める。
【００４６】
上記のように、本実施形態によれば、画面内の所定範囲内の動画数を累積し、この累積された結果に応じて、動画であるか静止画であるかを判定する判定条件（閾値）を変動させるので、注目した画素が静止画であるか動画であるかを適切に判断できる。
【００４７】
それゆえ、ＹＣ分離で発生するクロスカラー除去効果や、ノイズリダクションでのノイズ除去効果を上げ、画質を向上させることが可能になる。
【００４８】
また、注目画素の周辺画素の重み付けをするように装置を構成する場合には、従来の装置ではラインメモリを必要とするが、本装置は、ラインメモリを使用せずに指定範囲の動き情報を得ることができる。すなわち、重み付けを行なう周辺範囲を広く取ることが可能になる。
【００４９】
《発明の実施形態２》
図５は、本発明の実施形態２に係る動き検出装置５００の構成を示すブロック図である。動き検出装置５００は、図５に示すように、動き検出装置１００の判定部１３０を、判定部５１０に代えて構成したものである。
【００５０】
判定部５１０は、比較部１３１とゲイン調整部５１１とを備えている。
【００５１】
本実施形態においては、比較部１３１で使用する閾値は、一定の値である。
【００５２】
ゲイン調整部５１１は、所定のゲイン設定値に応じ、フレーム差分信号Ｓ１２０のゲインを調整した信号（ゲイン調整済みフレーム差分信号Ｓ５１１）を出力するようになっている。また、ゲイン調整部５１１には、ゲイン設定値として、動作開始時には所定の初期値が与えられており、動作開始後は、ゲイン調整部５１１は、領域内動画総数検出部１４０が出力した動画総数Ｓ１４０に応じ、次のフレームの処理に使用するゲイン設定値を求める。
【００５３】
上記の構成により、動き検出装置５００では、動画総数Ｓ１４０に応じ、フレーム差分信号Ｓ１２０が調整される。そして、調整された信号（ゲイン調整済みフレーム差分信号Ｓ５１１）と閾値とが比較される。
【００５４】
したがって、本実施形態においてもやはり、注目した画素が静止画であるか動画であるかを適切に判断でき、それゆえ、ＹＣ分離で発生するクロスカラー除去効果や、ノイズリダクションでのノイズ除去効果を上げ、画質を向上させることが可能になる。また、注目画素の周辺画素の重み付けをするように装置を構成する場合には、従来の装置ではラインメモリを必要とするが、本装置は、ラインメモリを使用せずに指定範囲の動き情報を得ることができる。すなわち、重み付けを行なう周辺範囲を広く取ることが可能になる。
【００５５】
《発明の実施形態３》
図６は、本発明の実施形態３に係る動き検出装置６００の構成を示すブロック図である。動き検出装置６００は、図６に示すように、動き検出装置１００の判定部１３０を、判定部６１０に代えて構成したものである。
【００５６】
判定部６１０は、比較部１３１とコアリング部６１１とを備えている。
【００５７】
本実施形態においては、比較部１３１で使用する閾値は、一定の値である。
【００５８】
コアリング部６１１は、フレーム差分信号Ｓ１２０のから微小な値（所定のコアリング量よりも小さな値）を取り除いた値（コアリング済みフレーム差分信号Ｓ６１１）を出力するようになっている。また、コアリング部６１１には、コアリング量を設定するコアリング設定値として、動作開始時には所定の初期値が与えられており、動作開始後は、コアリング部６１１は、領域内動画総数検出部１４０が出力した動画総数Ｓ１４０に応じ、次のフレームの処理に使用するコアリング設定値を求める。具体的には、動画総数が多くなれば、コアリング量（コアリングレベル）を下げ、動画総数が少なくなれば、コアリング量を上げる。
【００５９】
上記の構成により、動き検出装置６００では、動画総数Ｓ１４０に応じ、コアリング量が変動されて、フレーム差分信号Ｓ１２０が調整される。そして、調整された信号（コアリング済みフレーム差分信号Ｓ６１１）と閾値とが、比較部１３１によって比較される。
【００６０】
したがって、本実施形態においてもやはり、注目した画素が静止画であるか動画であるかを適切に判断でき、それゆえ、ＹＣ分離で発生するクロスカラー除去効果や、ノイズリダクションでのノイズ除去効果を上げ、画質を向上させることが可能になる。また、注目画素の周辺画素の重み付けをするように装置を構成する場合には、従来の装置ではラインメモリを必要とするが、本装置は、ラインメモリを使用せずに指定範囲の動き情報を得ることができる。すなわち、重み付けを行なう周辺範囲を広く取ることが可能になる。
【００６１】
なお、上記の各実施形態においては、領域内動画総数検出部１４０は、動き検出信号Ｓ２０２（Ａ〜Ｄ）を、コアリング部２０４、ゲイン調整部２０５、リミッタ部２０６、オフセット調整部２０７の補正順序で補正したが、補正の順序は換えても構わない。
【００６２】
また、領域内動画総数検出部１４０は、コアリング部２０４、ゲイン調整部２０５、リミッタ部２０６、オフセット調整部２０７の全てを備えている必要は必ずしもない。例えば、これらの１つだけを備えていても構わないし、２つ以上の組み合わせであっても構わない。組み合わせを増やすことにより、閾値のより細かな補正を行うことが可能になる。
【００６３】
また、累積部２０３では、領域内の画素を全て累積しなくてもよい。例えば、水平方向や垂直方向に間引きを行い、間引いた画素毎に累積しても構わない。
【００６４】
また、領域内動画総数検出部１４０において、静止画数を数え、判定部１３０において、現在のフレームの処理に使用した閾値にその静止画数を加算した値を、新たな閾値としても構わない。
【００６５】
また、領域内動画総数検出部１４０では、画面を４分割して累積値を求める例を説明したが、分割数は、これ以上であってもよいし、分割せずに累積値を求めても構わない。累積部２０３等は、画面の分割数に応じて、設ける数を増減すればよい。
【産業上の利用可能性】
【００６６】
本発明に係る動き検出装置は、注目画素が静止画であるか動画であるかを適切に判断できるという効果を有し、テレビジョン等において、ＹＣ分離やノイズリダクション等の映像信号処理装置に用いられ、入力された映像信号から動きを検出する動き検出装置等として有用である。
【図面の簡単な説明】
【００６７】
【図１】本発明の実施形態１に係る動き検出装置１００の構成を示すブロック図である。
【図２】領域内動画総数検出部１４０の構成例を示すブロック図である。
【図３】画面を４分割した場合における、水平方向及び垂直方向の有効範囲と、その場合の制御信号の例を示す図である。
【図４】領域内動画総数検出部１４０の各ブロックにおける累積数に対する出力補正のイメージを示す図である。
【図５】本発明の実施形態２に係る動き検出装置５００の構成を示すブロック図である。
【図６】本発明の実施形態３に係る動き検出装置６００の構成を示すブロック図である。
【符号の説明】
【００６８】
１００      動き検出装置
１１０      フレーム遅延部
１２０      差分検出部
１３０      判定部
１３１      比較部
１４０      領域内動画総数検出部
２０１      領域制御部
２０２      動き検出信号取り込み部
２０３      累積部
２０４      コアリング部
２０５      ゲイン調整部
２０６      リミッタ部
２０７      オフセット調整部
２０８      選択部
５００      動き検出装置
５１０      判定部
５１１      ゲイン調整部
６００      動き検出装置
６１０      判定部
６１１      コアリング部
Ｓ１００      映像信号
Ｓ１１０      フレーム遅延信号
Ｓ１２０      フレーム差分信号
Ｓ１３０      動き検出信号
Ｓ１４０      動画総数
Ｓ２０１Ｈ    水平有効範囲
Ｓ２０１Ｖ    垂直有効ライン
Ｓ２０２      動き検出信号
Ｓ２０３      累積値
Ｓ２０４      累積値
Ｓ２０５      累積値
Ｓ２０６      累積値
Ｓ２０７      累積値
Ｓ５１１      ゲイン調整済みフレーム差分信号
Ｓ６１１      コアリング済みフレーム差分信号
【図１】
2008113330.tif 000003
【図２】
2008113330.tif 000004
【図３】
2008113330.tif 000005
【図４】
2008113330.tif 000006
【図５】
2008113330.tif 000007
【図６】
2008113330.tif 000008